(57)【要約】【課題】扉体の係合部を、この扉体の開閉移動を案内するガイド部材に移動自在に係合するための作業を容易に行えるようになる引戸装置及びその組立方法を提供すること。【解決手段】上枠部材１０に配置されたガイド部材となっているガイドレール３０で案内されて開閉移動する吊り下げ式の扉体２１は、上側の第１構成部分２１Ａと、下側の第２構成部分２１Ｂとの組み合わせで構成され、これらの構成部分２１Ａと２１Ｂは連結可能となっているとともに、第１構成部分２１Ａには、ガイドレール３０に移動自在に係合する係合部となっているローラ３２が設けられている。扉体２１をガイドレール３０に吊り込む作業は、第２構成部分２１Ｂが連結されていない第１構成部分２１Ａだけについて先に行い、この後、第１構成部分２１Ａに第２構成部分２１Ｂを連結する作業を行う。【選択図】図５
2008133637.tif 000002
【特許請求の範囲】
【請求項１】
ガイド部材と、このガイド部材に移動自在に係合する係合部を備え、この係合部によって前記ガイド部材に案内されて開閉移動する扉体と、を含んで構成されている引戸装置において、前記扉体は複数個の扉体構成部分の組み合わせで構成され、これらの扉体構成部分のうち、少なくとも１個の扉体構成部分に前記係合部が設けられ、前記複数個の扉体構成部分が互いに連結可能となっていることを特徴とする引戸装置。
【請求項２】
請求項１に記載の引戸装置において、前記ガイド部材は前記扉体の上方に配置され、この扉体は、前記係合部で前記ガイド部材に吊り下げられた上吊り式の扉体となっていることを特徴とする引戸装置。
【請求項３】
請求項２に記載の引戸装置において、前記複数個の扉体構成部分には、前記係合部を備えた上側の第１構成部分と、この第１構成部分に連結される下側の第２構成部分とが含まれていることを特徴とする引戸装置。
【請求項４】
請求項３に記載の引戸装置において、前記第１構成部分は、前記第２構成部分よりも前記開閉移動方向に長い寸法を有し、前記係合部は前記開閉移動方向に複数個あり、これらの係合部のうち、前記開閉移動方向両側に配置されている２個の係合部の間隔は、前記第２構成部分の前記開閉移動方向の寸法よりも大きくなっていることを特徴とする引戸装置。
【請求項５】
請求項３又は４に記載の引戸装置において、前記ガイド部材は第１ガイド部材であって、この第１ガイド部材で案内される前記扉体は第１扉体であり、前記第１構成部分には、前記第１ガイド部材と同じ方向へ延出する第２ガイド部材が取り付けられ、この第２ガイド部材に案内されて開閉移動する第２扉体を備えていることを特徴とする引戸装置。
【請求項６】
請求項５に記載の引戸装置において、前記第２ガイド部材は前記第１構成部分の内部に配置され、前記第２扉体は、前記第２ガイド部材に移動自在に係合してこの第２扉体を開閉移動自在とする係合部を有し、前記第１構成部分には、この係合部を前記第１構成部分の内部に挿入可能にして前記第２ガイド部材に係合可能とするための開口部が設けられていることを特徴とする引戸装置。
【請求項７】
請求項６に記載の引戸装置において、前記第２扉体は前記第１扉体の内部に出入り可能となっていることを特徴とする引戸装置。
【請求項８】
請求項５〜７のいずれかに記載の引戸装置において、前記第１扉体と前記第２扉体は連動機構によって連動可能に連結されていることを特徴とする引戸装置。
【請求項９】
ガイド部材に移動自在に係合する係合部を備えた扉体がこの係合部によって前記ガイド部材に案内されて開閉移動する引戸装置を組み立てるための方法であって、前記扉体を構成する複数個の扉体構成部分を製造する工程と、これらの扉体構成部分のうち、前記係合部を備えている扉体構成部分を、この係合部を前記ガイド部材に係合させることによってこのガイド部材に配置する工程と、前記係合部を備えている前記扉体構成部分に他の扉体構成部分を連結することによって前記扉体を構成する工程と、を含んでいることを特徴とする引戸装置の組立方法。
【請求項１０】
請求項９に記載の引戸装置の組立方法において、前記ガイド部材は前記扉体の上方に配置され、この扉体は、前記係合部で前記ガイド部材に吊り下げられた上吊り式の扉体となっており、前記複数個の扉体構成部分には、前記係合部を備えた上側の第１構成部分と、この第１構成部分に連結される下側の第２構成部分とが含まれており、前記係合部を備えている前記扉体構成部分に他の扉体構成部分を連結することによって前記扉体を形成する工程は、前記上側の第１構成部分に前記下側の第２構成部分を連結する工程となっていることを特徴とする引戸装置の組立方法。
【発明の詳細な説明】
【技術分野】
【０００１】
本発明は、ガイドレール等のガイド部材によって扉体の開閉移動が案内される引戸装置及びその組立方法に係り、例えば、扉体の上方に配置されたガイド部材から扉体が吊り下げられた上吊り式の引戸装置や、扉体の下方に配置されたガイド部材によって扉体が案内される引戸装置等に利用できるものである。
【背景技術】
【０００２】
下記の特許文献１及び特許文献２には、ガイド部材となっているガイドレールと、このガイドレールに移動自在に係合する係合部となっているローラを備え、このローラによってガイドレールに案内されて開閉移動する扉体と、を含んで構成されている引戸装置が示されている。これらの引戸装置における上記扉体は、この扉体の上方に配置された上記ガイドレールから吊り下げられた上吊り式の扉体となっており、また、特許文献１の引戸装置の扉体は1個であり、特許文献２の引戸装置の扉体は２個である。
【特許文献１】特開２００２−２９５１３４
【特許文献２】特開２００６−１０４８３０
【発明の開示】
【発明が解決しようとする課題】
【０００３】
扉体がガイドレール等のガイド部材で案内されて開閉移動自在となっている引戸装置では、建物内等の引戸装置設置現場でガイド部材やこのガイド部材が配置された部材の取付作業等の所定作業が終了した後、扉体をガイド部材に沿って移動自在とするために、前記ローラ等の係合部をガイド部材に移動自在に係合させる作業が行われ、従来、この作業は、係合部を備えている扉体の全体を作業者が持ち上げることによって行われているため、この作業に多くの手間と時間がかかっていた。
【０００４】
本発明の目的は、扉体の係合部を、この扉体の開閉移動を案内するガイド部材に移動自在に係合するための作業を容易に行えるようになる引戸装置及びその組立方法を提供するところにある。
【課題を解決するための手段】
【０００５】
本発明に係る引戸装置は、ガイド部材と、このガイド部材に移動自在に係合する係合部を備え、この係合部によって前記ガイド部材に案内されて開閉移動する扉体と、を含んで構成されている引戸装置において、前記扉体は複数個の扉体構成部分の組み合わせで構成され、これらの扉体構成部分のうち、少なくとも１個の扉体構成部分に前記係合部が設けられ、前記複数個の扉体構成部分が互いに連結可能となっていることを特徴とするものである。
【０００６】
そして、本発明に係る引戸装置の組立方法は、ガイド部材に移動自在に係合する係合部を備えた扉体がこの係合部によって前記ガイド部材に案内されて開閉移動する引戸装置を組み立てるための方法であって、前記扉体を構成する複数個の扉体構成部分を製造する工程と、これらの扉体構成部分のうち、前記係合部を備えている扉体構成部分を、この係合部を前記ガイド部材に係合させることによってこのガイド部材に配置する工程と、前記係合部を備えている前記扉体構成部分に他の扉体構成部分を連結することによって前記扉体を構成する工程と、を含んでいることを特徴とするものである。
【０００７】
本発明では、扉体は複数個の扉体構成部分の組み合わせで構成されており、これらの扉体構成部分のうち、少なくとも１個の扉体構成部分には、ガイド部材に移動自在に係合することによって扉体をガイド部材に案内させて開閉移動自在とする係合部が設けられている。このため、扉体を構成するそれぞれの扉体構成部分を工場等で製造した後、引戸装置の設置現場において、これらの扉体構成部分のうち、初めに、係合部を備えている扉体構成部分を、この係合部をガイド部材に係合させることによってこのガイド部材に配置する作業を行い、次いで、この扉体構成部分に他の扉体構成部分を連結することによって扉体を構成する作業を行うことにより、係合部を備えている扉体の全体を作業者が持ち上げることによって係合部をガイド部材に係合する作業を行う必要がなくなり、扉体の係合部を、この扉体の開閉移動を案内するガイド部材に移動自在に係合するための作業を容易に行えるようになる。
【０００８】
以上の本発明において、上記ガイド部材はガイドレールでもよく、スライドレール（スライディングレール）でもよい。ガイド部材がガイドレールである場合には、扉体の上記係合部はローラであり、ガイド部材がスライドレールである場合には、扉体の上記係合部は、このスライドレールにスライド自在に係合するスライド部となる。
【０００９】
また、ガイド部材で案内される扉体の開閉移動形態は任意である。すなわち、扉体を案内するガイド部材は、扉体を直線的に案内するものでもよく、曲線的に案内するものでもよく、さらに、例えば、扉体を建物躯体等に近づけながら全閉とさせるために、ガイド部材は、扉体を扉体の厚さ方向に略平行移動させながら扉体の幅方向（扉体の開閉移動方向）に移動させるものでもよい。
【００１０】
また、本発明は、扉体の個数が１個となっている引戸装置と、扉体の個数が複数個となっている引戸装置とに適用することができる。本発明を扉体の個数が複数個となっている引戸装置に適用する場合には、上述のように、複数個の扉体構成部分の組み合わせで構成され、これらの扉体構成部分のうち、少なくとも１個の扉体構成部分に前記係合部が設けられ、前記複数個の扉体構成部分が互いに連結可能となっている扉体は、１個でもよく、複数個でもよい。
【００１１】
そして、扉体の個数が複数個となっている場合において、これらの扉体の配置位置は、これらの扉体の厚さ方向にずれていてもよく、これらの扉体の厚さ方向にずれていなくてもよい。さらに、これらの扉体の開閉移動方向は、同じでもよく、反対でもよい。そして、複数個の扉体の開閉移動方向を同じとする場合には、これらの扉体を、外側扉体と、この外側扉体の内部に入れ子式に収納される内側扉体としてもよい。また、外側扉体と入れ子式の内側扉体とからなる組の個数を２組とし、これらを開閉移動方向に引き分け式に配置してもよい。
【００１２】
さらに、本発明は、ガイド部材が扉体の上方に配置され、この扉体が係合部でガイド部材に吊り下げられた上吊り式の扉体となっている引戸装置にも適用でき、また、ガイド部材が扉体の下方、又は下方と上方の両方に配置され、この扉体が係合部でガイド部材に案内される引戸装置にも適用できる。
【００１３】
本発明が上吊り式の引戸装置、言い換えると、扉体が係合部でガイド部材に吊り下げられた上吊り式の扉体となっている引戸装置に適用される場合には、上述した複数個の扉体構成部分には、係合部を備えた上側の第１構成部分と、この第１構成部分に連結される下側の第２構成部分とが含まれることになる。そして、引戸装置の設置現場では、最初に、上側の第１構成部分の係合部をガイド部材に係合させ、次いで、この第１構成部分に下側の第２構成部分を連結することによって扉体を構成する作業が行われることになる。
【００１４】
上述ように扉体を複数個の扉体構成部分の組み合わせで構成されたものとし、しかも、扉体を係合部でガイド部材に吊り下げられた上吊り式の扉体とし、これらの扉体構成部分に、係合部を備えた上側の第１構成部分と、この第１構成部分に連結される下側の第２構成部分とが含まれる場合には、第１構成部分と第２構成部分の前記開閉移動方向の寸法を同じ又は略同じにしてもよく、また、第１構成部分の開閉移動方向の寸法を第２構成部分の開閉移動方向の寸法よりも長くするとともに、第１構成部分に設ける前記係合部の個数を開閉移動方向に複数個とし、これらの係合部のうち、開閉移動方向両側に配置されている２個の係合部の間隔を、第２構成部分の開閉移動方向の寸法よりも大きくしてもよい。
【００１５】
後者によると、第１構成部分に複数個設けられる係合部のうち、開閉移動方向両側に配置されている２個の係合部の間隔は、第２構成部分の開閉移動方向の寸法よりも大きくなるため、前者のように、第１構成部分と第２構成部分の開閉移動方向の寸法を同じ又は略同じとし、これにより、第１構成部分に複数個設けられる係合部のうち、開閉移動方向両側に配置されている２個の係合部の間隔が、第２構成部分の開閉移動方向の寸法よりも小さくなる場合よりも、扉体の厚さ方向に通る水平軸を中心として扉体が揺動することを有効に抑えることができるため、この水平軸廻りの扉体の姿勢を安定させることができる。
【００１６】
また、上述のように、扉体を構成する複数個の扉体構成部分に、係合部を備えた上側の第１構成部分と、この第１構成部分に連結される下側の第２構成部分とが含まれる場合には、前記ガイド部材を第１ガイド部材とし、この第１ガイド部材で案内される前記扉体を第１扉体とするとともに、前記第１構成部分には、第１ガイド部材と同じ方向へ延出する第２ガイド部材を取り付け、引戸装置に、この第２ガイド部材に案内されて開閉移動する第２扉体を設けてもよい。
【００１７】
すなわち、本発明を、扉体の個数が上記第１扉体と上記第２扉体の少なくとも２個となっている引戸装置にも適用する場合には、第１扉体の上記第１構成部分に上記第２ガイド部材を取り付けることにより、この第１構成部分を、第２扉体の開閉移動を案内するための第２ガイド部材を取り付けるための取付部材として利用してもよい。
【００１８】
この場合における第２ガイド部材は、ガイドレールでもよく、スライドレール（スライディングレール）でもよい。第２ガイド部材がガイドレールである場合には、第２扉体に、このガイドレールに移動自在に係合する係合部となっているローラが設けられ、第２ガイド部材がスライドレールである場合には、第２扉体に、このスライドレールにスライド自在に係合するスライド部が設けられる。
【００１９】
また、このように第１扉体の第１構成部分に、第２扉体の開閉移動を案内するための第２ガイド部材を取り付ける場合には、第２ガイド部材の配置位置は、第１構成部分の側面等の外面でもよく、断面箱形等に形成されている第１構成部分の内部でもよい。
【００２０】
第２ガイド部材の配置位置を第１構成部分の側面等の外面とする場合は、第１扉体に対して第２扉体を、第１扉体の厚さ方向にずれて配置するときであり、第２ガイド部材の配置位置を断面箱形等に形成されている第１構成部分の内部とする場合は、第２扉体を第１扉体の内部に出入り可能に配置するときである。
【００２１】
なお、第１扉体の第１構成部分を、内部に第２扉体の開閉移動を案内するための第２ガイド部材を配置することができる断面箱形とすると、この第２ガイド部材を予期できない外部力から有効に保護することができる。
【００２２】
このように、第２ガイド部材を第１扉体の第１構成部分の内部に配置し、第２扉体に、第２ガイド部材に移動自在に係合してこの第２扉体を開閉移動自在とする係合部を設ける場合には、断面箱形の第１構成部分には、この係合部を第１構成部分の内部に挿入可能にして第２ガイド部材に係合可能するための開口部を設けることが好ましい。
【００２３】
これによると、第１扉体の第１構成部分を、内部に第２扉体の開閉移動を案内するための第２ガイド部材を配置することができる断面箱形としても、第２扉体の係合部を第２ガイド部材に移動自在に係合させる作業を、第１構成部分の開口部から第２扉体の係合部を第１構成部分の内部に挿入することによって行えることになり、第２扉体の係合部を第２ガイド部材に係合するための作業を容易に行える。
【００２４】
また、上述のように、引戸装置に、上記第１扉体と上記第２扉体の少なくとも２個の扉体を設ける場合には、第１扉体と第２扉体とを連動機構によって連動可能に連結してもよい。
【００２５】
この場合における連動機構の一例は、第１扉体に、全閉側である戸先側と全開側である戸尻側とに分かれて配置された２個の回転部材と、これらの回転部材に掛け回され、一部分が上枠部材等の不動部材に結合されて他の部分に第２扉体が連結された走行部材とを含んで構成されているものである。この連動機構における走行部材は紐状部材でもよく、ベルトでもよい。
【００２６】
また、第１扉体と第２扉体とを連動機構によって連動可能に連結するのではなく、第１扉体と第２扉体のうち、一方の扉体に、この一方の扉体が所定距離移動すると、他方の扉体に設けられた被係止部に係止する係止部を設け、この係止後は、係止部と被係止部によって第１扉体と第２扉体が一体となって移動するようにしてもよい。
【００２７】
以上説明した本発明に係る引戸装置は、全開位置まで達した扉体を収納する戸袋を備えたものでもよく、戸袋を備えないものでもよい。
【００２８】
本発明を戸袋を備える引戸装置に適用する場合には、この戸袋は、外部に露出した戸袋、言い換えると、外部から視認できる戸袋でもよく、壁の内部に収納された壁収納式の戸袋でもよい。また、上記戸袋は、この戸袋に収納された前記扉体の一方の片面だけを隠し、他方の片面を外部に露出させる片面式の戸袋でもよい。
【発明の効果】
【００２９】
本発明によると、扉体の係合部を、この扉体の開閉移動を案内するガイド部材に移動自在に係合するための作業を容易に行えるようになるという効果を得られる。
【発明を実施するための最良の形態】
【００３０】
以下に本発明を実施するための形態を図面に基づいて説明する。本実施形態に係る引戸装置は、２個の扉体２１，２２が、それぞれの扉体２１，２２の上方に配置されたそれぞれのガイド部材となっているガイドレールから吊り下げられ、かつこれらのガイドレールに案内されて開閉移動を行う上吊り式の引戸装置である。また、この引戸装置は、全開位置まで達した扉体２１，２２を収納するための戸袋３を有するものであって、この戸袋３は、壁５の内部に収納された壁収納式の戸袋となっている。
【００３１】
図１は、例えば、建物内における廊下と部屋との間に配置され、開閉移動方向が同じとなっている第１扉体２１と第２扉体２２で開閉される空間が出入口２となっているこの上吊り式の引戸装置の全体を示す正面図である。この引戸装置の外枠組みは、上枠部材１０と、図１で示すように扉体２１，２２で出入口２が全閉となったときに第２扉体２２の先端が当接する戸先側の竪枠部材１１と、この戸先側の竪枠部材１１とは扉体２１，２２の移動方向反対側に配置されている戸尻側の竪枠部材１２と、これらの竪枠部材１１と１２の間に配置されているとともに、出入口２を開けたときの扉体２１，２２が収納される戸袋３における出入口２の側の端部に配置された竪額縁部材１３と、床４における戸袋３の下端に配置された幅木１４とを含んで形成されている。
【００３２】
出入口２は、これらの枠部材１０〜１４で形成された外枠組みの内側の一部の空間となっており、この出入口２は扉体２１，２２で開閉され、この出入口２を開けたときの扉体２１，２２が収納される戸袋３は、壁５の内部に収納された壁収納式の戸袋である。上枠部材１０は、戸先側の竪枠部材１１から戸尻側の竪枠部材１２まで延びているため、この上枠部材１０は出入口２と戸袋３に跨る長さを有し、竪額縁部材１３は、戸袋３における出入口２側の見切り部材となっている。
【００３３】
戸袋３は、上枠部材１０と幅木１４の長手方向（図１では左右方向であって、扉体２１，２２の開閉移動方向）に連続している補強部材２０によって補強された構造となっており、長手方向の両端が竪枠部材１２と竪額縁部材１３に結合されているこの補強部材２０は、竪枠部材１１，１２と竪額縁部材１３の長手方向である上下方向に複数個配設されている。そして、これらの補強部材２０の上下において、上枠部材１０と幅木１４の長手方向に細長い形状となっている内側壁材が接着テープ等による結合具で補強部材２０に結合され、これらの内側壁材の外側に大面積を有する外側壁材が配置され、補強部材２０にビスやステープル等の結合具で結合されているこの外側壁材の表面に、クロス等の壁仕上げ材が取り付けられている。このため、これらの内側壁材と外側壁材と壁仕上げ材により、戸袋３の部分の壁５が形成され、戸袋３は、補強部材２０が構造材となって壁５の内部に形成されている。
【００３４】
上枠部材１０の全長のうち、出入口２と対応する部分は、点検カバー２３で開閉可能に塞がれる開口部１０Ａとなっている。
【００３５】
また、上枠部材１０の内部には、扉体２１，２２を開閉移動させるための扉体移動機構が収納配置されており、図２は、点検カバー２３を取り外し、かつ戸袋３と壁５を除外して示した扉体移動機構の全体正面図である。そして、図２は、２個の扉体２１，２２が出入口２を全閉とする位置に達していて出入口２が閉じられているときであり、図３は、これらの扉体２１，２２が出入口２を全開とする位置に達していて出入口２が開けられているときである。図４は、図２のときにおける上記扉体移動機構の要部を拡大して示した正面図である。
【００３６】
図５は、点検カバー２３を２点鎖線で示した図４のＳ５−Ｓ５線断面図である。この図５に示されているとおり、点検カバー２３は、上端に斜め下向きに形成され、上枠部材１０の上面１０Ｂの端部の傾斜延出部１０Ｃに係止される係止部２３Ａと、この係止部２３Ａから鉛直又は略鉛直下向きに延びている正面部２３Ｂと、この正面部２３Ｂの下端から上枠部材１０の内側へ水平又は略水平に屈曲している下面部２３Ｃとを有する。上枠部材１０の開口部１０Ａを塞いでいるときの点検カバー２３は、係止部２３Ａが上枠部材１０の傾斜延出部１０Ｃに係止され、これにより点検カバー２３の重量が上枠部材１０で支持され、また、図１から分かるように、下面部２３Ｃが、戸先側の竪枠部材１１と竪額縁部材１３に取り付けられているブラケット２４，２５にねじ部材２６，２７で止められている。
【００３７】
点検カバー２３を取り外して上枠部材１０の開口部１０Ａを開けるときには、ねじ部材２６，２７を取り外し、これにより、点検カバー２３は、上端の係止部２３Ａを中心に上枠部材１０の内外方向に揺動可能となるため、上枠部材１０の外側方向へ揺動させることにより、係止部２３Ａを上枠部材１０の傾斜延出部１０Ｃから抜き取る。これにより、点検カバー２３が取り外されて上枠部材１０の開口部１０Ａが開けられることになり、また、以上とは逆の作業を行うことにより、開口部１０Ａを点検カバー２３で塞ぐことができる。
【００３８】
次に、図２〜図５によって前述の扉体移動機構について説明する。
【００３９】
図２に示されているように、上枠部材１０の内部には、この上枠部材１０の略全長に渡る長さとなった第１ガイドレール３０が、扉体２１，２２の上方において配置され、これらの扉体２１，２２のうち、第１扉体２１の直線の開閉移動を案内するための本実施形態の第１ガイド部材となっているこの第１ガイドレール３０は、図５に示されているように、上下に延びる基端部３０Ａと、この基端部３０Ａの下端から扉体２１の厚さ方向へ水平又は略水平に延びるアーム部３０Ｂとを有する略Ｌ字形状であり、基端部３０Ａは、上枠部材１０の内部に補強のためにも配置されている取付部材２９にビス等の結合具３１で結合されている。第１扉体２１の上部には、アーム部３０Ｂの先端に上向きに形成されたローラ載置部３０Ｃの上に転動自在に載っているローラ３２がブラケット３３を介して取り付けられ、これらのローラ３２とブラケット３３は、図４で示されているとおり、上枠部材１０の長手方向である第１扉体２１の開閉移動方向に２個設けられている。
【００４０】
このため、第１扉体２１は、この第１扉体２１の上方に配置された第１ガイドレール３０にローラ３２が載っていて、第１ガイドレール３０に吊り下げられた上吊り式の扉体になっている。そして、ローラ３２は、第１ガイドレール３０に移動自在に係合した第１扉体２１の係合部となっており、第１扉体２１は、第１ガイドレール３０に案内されるローラ３２の転動によって開閉移動自在である。
【００４１】
図６は、図５では示されていない２個の扉体２１，２２の下部を示し、第１扉体２１の下端部には、この扉体２１の開閉移動方向に連続する溝３４が形成され、下向きに開口しているこの溝３４の内部には、図１で示した床４に配置された第１ガイドローラ３５が挿入されている。このため、第１ガイドレール３０で案内される第１扉体２１の開閉移動は、第１扉体２１の下端部がこの第１ガイドローラ３５で案内されることによっても行われる。
【００４２】
前述した第２扉体２２に対して戸尻側（言い換えると、開き側）の扉体となっている第１扉体２１は、図２〜図５で示されているように、前記ローラ３２と前記ブラケット３３が設けられた上側の第１構成部分２１Ａと、この第１構成部分２１Ａに連結された下側の第２構成部分２１Ｂとの組み合わせで構成されている。第２構成部分２１Ｂは第１扉体２１の本体部分となっており、この第２構成部分２１Ｂよりも上下寸法が小さい第１構成部分２１Ａは、第２構成部分２１Ｂよりも扉体２１，２２の開閉移動方向の長さが長い細長形状となっている（図３参照）。そして、第１構成部分２１Ａと第２構成部分２１Ｂの戸尻側の端部は一致しているため、第１構成部分２１Ａの戸先側の端部は第２構成部分２１Ｂの戸先側の端部よりも扉体２１，２２の閉じ側へ突出している。
【００４３】
また、第１構成部分２１Ａは、図５で示すとおり、板材の折り曲げによる枠部材３６で形成されており、このため、断面箱形となっている第１構成部分２１Ａの内部は、扉体２１，２２の開閉移動方向に連続する空洞部となっている。また、枠部材３６における扉体２１，２２の厚さ方向の一方の側には、上面部３６Ａからの垂下量が小さい第１垂下部３６Ｂが設けられ、他方の側には、上面部３６Ａからの垂下量が大きい第２垂下部３６Ｃが設けられている。このため、第１垂下部３６Ｂの側には、枠部材３６によって形成されている第１構成部分２１Ａの内部の空洞部に臨む開口部３７が設けられている。この開口部３７には、第１構成部分２１Ａと第２構成部分２１Ｂとを連結する縦長の連結部材３８が配置され、扉体２１，２２の開閉移動方向の寸法が小さいこの連結部材３８は、図２及び図３で示されているように、第２構成部分２１Ｂにおける第１扉体２１の開閉移動方向の寸法内において、第１扉体２１開閉移動方向に２個設けられている。
【００４４】
図５に示されているように、第１構成部分２１Ａの内部には、第１扉体２１に対して戸先側（言い換えると、閉じ側）の扉体となっている前記第２扉体２２のための第２ガイドレール３９が収納配置され、本実施形態の第２ガイド部材となっているこの第２ガイドレール３９は、第１ガイドレール３０と同じく、上下に延びる基端部３９Ａと、この基端部３９Ａの下端から扉体２２の厚さ方向へ水平又は略水平に延びるアーム部３９Ｂとを有する略Ｌ字形状であり、基端部３９Ａは、枠部材３６の第２垂下部３６Ｃに結合されている。第２扉体２２の上部には、アーム部３９Ｂの先端に上向きに形成されたローラ載置部３９Ｃの上に転動自在に載っているローラ４０がブラケット４１を介して取り付けられ、これらのローラ４０とブラケット４１は、図４で示されているとおり、第２扉体２２の開閉移動方向に２個設けられている。
【００４５】
このため、第２扉体２２は、この第２扉体２２の上方に配置された第２ガイドレール３９にローラ４０が載っていて、第２ガイドレール３９に吊り下げられた上吊り式の扉体になっている。そして、ローラ４０は、第２ガイドレール３９に移動自在に係合した第２扉体２２の係合部となっており、第２扉体２２は、第２ガイドレール３９に案内されるローラ４０の転動によって開閉移動自在である。
【００４６】
図６に示すとおり、第２扉体２２の下端部には、この扉体２２の開閉移動方向に連続する溝４２が形成され、下向きに開口しているこの溝４２の内部には、第１扉体２１の前記溝３４を形成している下部フレーム部材４３に取り付けられた第２ガイドローラ４４が挿入されている。このため、第２ガイドレール３９で案内される第２扉体２２の開閉移動は、第２扉体２２の下端部がこの第２ガイドローラ４４で案内されることによっても行われる。
【００４７】
また、図５及び図６で示されているように、第２扉体２２の厚さは第１扉体２１の厚さよりも小さく、そして、第１扉体２１の内部は、前記第１構成部分２１Ａから前記第２構成部分２１Ｂまで達する空洞部となっており、この空洞部に、開口した端面となっている第１扉体２１の戸先側の端面から第２扉体２２が出入り可能となっている。すなわち、第１扉体２１と開閉移動方向が同じになっている第２扉体２２は、第１扉体２１の内部に出没可能な入れ子式となっている。
【００４８】
これらの第１扉体２１と第２扉体２２は連動機構によって連結され、この連動機構により、第１扉体２１と第２扉体２２は連動して開閉移動するようになっている。この連動機構は、図４のＳ８−Ｓ８線断面図である図８に示されている。連動機構５０は、第１扉体２１の第１構成部分２１Ａの上面における戸先側の端部にブラケット５１を介して回転自在に取り付けられた第１回転部材５２と、第１構成部分２１Ａの上面における戸尻側の端部にブラケット５３を介して回転自在に取り付けられた第２回転部材５４と、これらの回転部材５２と５４に緊張力をもって掛け回された紐状部材５５とを含んで構成され、金属製ワイヤー又は合成樹脂製紐等で形成されている紐状部材５５は、回転部材５２，５４を回転させながら走行する走行部材となっている。
【００４９】
紐状部材５５の一部は、不動部材となっている前述の上枠部材１０の取付部材２９に結合部材５６で結合され、また、紐状部材５５の両端部は、図４で示されているとおり、第２扉体２２の前記ローラ４０ごとに設けられている２個の前記ブラケット４１のうち、戸先側のブラケット４１に結合された連結部材５７にビス等の止着具で止着されている。このため、紐状部材５５の両端部は連結部材５７を介して連結されているため、この紐状部材５５は実質的に無端の紐状部材になっているとともに、この紐状部材５５の一部に第２扉体２２が連結されていることになる。
【００５０】
これにより、図１で示されている把持部５８を把持した手によって第２扉体２２を移動させると、この移動は、紐状部材５５の走行と回転部材５２，５４の回転とによって第１扉体２１に伝達され、この伝達により、第１扉体２１は、第２扉体２２の速度の半分の速度で第２扉体２２と同じ方向へ移動し、第１扉体２１は低速扉体となり、第２扉体２２は高速扉体となる。開き側へ移動した第１扉体２１が、図１で示した戸尻側の竪枠部材１２に取り付けられたストップ部材５９に当接することにより、第１扉体２１と第２扉体２２は前記出入口２を全開とする図３の位置に達し、このときには、第１扉体２１の全部又は略全部は図１で説明した戸袋３の内部に収納されているとともに、第２扉体２２の略全部は第１扉体２１の内部に侵入している。
【００５１】
なお、図面では示されていないが、第１扉体２１と第２扉体２２が出入口２を全開とする図３の位置に達したときに、これらの扉体２１，２２のうちの一方をその位置に停止させて他方の扉体も連動機構５０を介して停止させ、把持部５８によって第２扉体２２を閉じ側へ移動操作したときには、上記一方と上記他方が閉じ側へ移動することを許容する全開位置停止装置を上枠部材１０や竪枠部材１２等の不動部材に取り付けてもよい。
【００５２】
また、図４で示されているように、上枠部材１０の内部空間には、２個の扉体２１，２２を自動的に閉じ移動させるための渦巻きばね式の自動閉鎖装置６０が配置され、この自動閉鎖装置６０は、上枠部材１０や竪枠部材１１等の不動部材に取り付けられている。自動閉鎖装置６０からは、この自動閉鎖装置６０の内部に設けられている渦巻きばね機構に一端が連結された金属製ワイヤー又は合成樹脂製紐等による紐状部材６１が導出され、この紐状部材６１の他端は、第２扉体２２の前記ローラ４０ごとに設けられている２個の前記ブラケット４１のうち、戸先側のブラケット４１に連結されている。
【００５３】
第２扉体２２の戸先側の端部が戸先側の竪枠部材１１に当接していて２個の扉体２１，２２が前記出入口２を全閉としているときに、把持部５８を握った手によって第２扉体２２を第２ガイドレール３９に案内させて開き移動させ、第１扉体２１も連動機構５０を介して第２扉体２２の速度の半分の速度で開き移動させると、自動閉鎖装置６０から繰り出される紐状部材６１により、上記渦巻きばね機構の渦巻きばねにばね力が蓄圧される。そして、把持部５８から手を離すと、この蓄圧されたばね力によって第２扉体２２が自動的に閉じ移動し、第１扉体２１も連動機構５０を介して第２扉体２２の速度の半分の速度で閉じ移動する。このため、本実施形態に係る引戸装置は、２個の扉体２１，２２が、前記出入口２を全閉とする図１及び図２の位置まで自動的に移動する自動閉鎖式の引戸装置になっている。
【００５４】
また、図４で示されているように、第１扉体２１の前述した第１構成部分２１Ａの上部にはロータリー式ブレーキ装置７０が配置され、このブレーキ装置７０は、第１扉体２１の前記ローラ３２ごとに設けられている２個の前記ブラケット３３のうち、戸先側のブラケット３３に取り付けられている。すなわち、本実施形態では、このブラケット３３は、第１扉体２１にローラ３２とブレーキ装置７０の両方を取り付けるための部材となっており、部材の兼用化が図られている。
【００５５】
ロータリー式ブレーキ装置７０は、図４で示されているとおり、ラック部材７１に噛合するピニオンギア７２を有し、このピニオンギア７２の回転中心軸７３は扉体２１の厚さ方向に延びているとともに、この回転中心軸７３の軸方向は水平又は略水平方向となっており、この回転中心軸７３と上記ローラ３２の回転中心軸７４とは、平行又は略平行となっている。図５で示されているように、ラック部材７１は、上枠部材１０の内部の前記取付部材２９に取り付けられた保持部材７５で下向きに保持されている。
【００５６】
ラック部材７１と保持部材７５は、第１扉体２１の開閉移動方向への長さを有しているとともに、これらのラック部材７１と保持部材７５は、図２及び図３で示されているように、第１ガイドレール３０の全長に渡る長さとなっておらず、ラック部材７１と保持部材７５の戸先側の端部の位置は、第１扉体２１が第２扉体２２と共に前記出入口２を全閉とする位置に達したときに、ピニオンギア７２が到達している位置と同じ位置又はこれよりも少し戸先側の位置となっている。また、ラック部材７１と保持部材７５の戸尻側の端部の位置は、第２扉体２２の戸先側の端部と戸先側の竪枠部材１１との間に人の肩幅と同じ程度の間隔が開いている位置まで第１扉体２１が達しているときに、この第１扉体２１におけるピニオンギア７２と同じ位置又は略同じ位置となっている。
【００５７】
ロータリー式ブレーキ装置７０の内部には、シリコンオイル等の粘性流体が充填され、この粘性流体の内部には、ピニオンギア７２に前記回転中心軸７３を介して結合されたブレードが収納され、ピニオンギア７２が回転すると、このブレードも回転中心軸７３を介して回転する。
【００５８】
このため、第１扉体２１と第２扉体２２が、前述した自動閉鎖装置６０の渦巻きばね機構の渦巻きばねに蓄圧されたばね力による自動閉鎖力によって全開側から全閉側へ閉じ移動し、この閉じ移動の途中において、ピニオンギア７２がラック部材７１に噛合し始めたときには、このときからピニオンギア７２がラック部材７１によって回転することにより、第１扉体２１には、ロータリー式ブレーキ装置７０の上記粘性流体がブレードで撹拌されることで生ずる粘性力による制動力が発生し、連動機構５０を介して第１扉体２１と連結されている第２扉体２２にも制動力が生じ、これにより、２個の扉体２１，２２は、ロータリー式ブレーキ装置７０で制動されて減速しながら出入口２を全閉とする位置まで達する。
【００５９】
また、前述したように、図１で示した把持部５８を握った手によって第２扉体２２を開き移動させ、連動機構５０を介して第２扉体２２と連結されている第１扉体２１も開き移動させる場合にも、ラック部材７１と噛合しているピニオンギア７２は回転するが、このピニオンギア７２と、ピニオンギア７２の前記回転中心軸７３との間には一方向クラッチが介設されており、第１扉体２１が開き側へ移動しているときのピニオンギア７２の回転については、この一方向クラッチの接続は断絶されるため、２個の扉体２１，２２の開き移動を、ロータリー式ブレーキ装置７０による制動力を発生させずに小さな力で軽く行うことができる。
【００６０】
なお、全閉側へ移動している２個の扉体２１，２２を減速させるためのブレーキ装置は、上記ロータリー式のものに限らず任意な形式のものを採用でき、例えば、シリンダ式のものでもよい。
【００６１】
前述したように、第１扉体２１は、上側の第１構成部分２１Ａと、下側の第２構成部分２１Ｂとの組み合わせで構成されているが、第１扉体２１の本体部分となっている第２構成部分２１Ｂは、以下に説明する構造となっている。この構造は、図５と、図６と、第２扉体２２を除外した第１扉体２１の平断面図となっている図７とに示されている。
【００６２】
第１扉体２１の第２構成部分２１Ｂは、第１扉体２１の厚さ方向両側の表面パネル８１，８２と、これらの表面パネル８１，８２の間に入れられた図６の前記下部フレーム部材４３と、表面パネル８１，８２の間に入れられた図７の戸尻側の側部フレーム部材８３とで構成され、表面パネル８１，８２の下端部と、下部フレーム部材４３は、図６で示すビス等の結合具９１，９２で結合され、表面パネル８１，８２の戸尻側の端部と、側部フレーム部材８３は、図７で示すビス等の結合具９３，９４で結合されている。
【００６３】
なお、それぞれの表面パネル８１，８２は、これらの表面パネル８１，８２の四周辺部に配置された骨組み材と、これら骨組み材に被せられた表面板とで形成されている。また、それぞれの表面パネル８１，８２の内面には、第１扉体２１に耐火性を付与するための耐火材９５が取り付けられている。そして、第２扉体２２の内部にも、図５及び図６示されているように、耐火材９５が充填されている。
【００６４】
また、一方の表面パネル８１は、図５で示されているように、第１構成部分２１Ａを形成している前記枠部材３６の垂下部３６Ｃに、下部がビス等の結合具９８でこの表面パネル８１の上端に結合された連結部材９７を介して連結されており、この連結部材９７と垂下部３６Ｃとの連結は、ビス等の結合具９６で行われている。また、他方の表面パネル８２は、枠部材３６の前記垂下部３６Ｂに上端が結合された前記連結部材３８の下端に連結されており、この連結は、ビス等の結合具９９で行われている。
【００６５】
次に、以上説明した本実施形態に係る引戸装置の組立作業について説明する。
【００６６】
前述した引戸装置の外枠組みを形成する上枠部材１０や、竪枠部材１１，１２、竪額縁部材１３等は、工場において生産され、第１扉体２１と第２扉体２２も工場で生産され、これらは、引戸装置の設置現場に搬送される。この搬送時には、上枠部材１０の取付部材２９に、第１ガイドレール３０と、ラック部材７１を保持する保持部材７５と、自動閉鎖装置６０等が取り付けられており、連動機構５０の紐状部材５５も結合部材５６で結合されており、第１扉体２１の上側の第１構成部分２１Ａに第２ガイドレール３９が取り付けられており、また、第１構成部分２１Ａの上面に、前記連動機構５０の２個の回転部材５２，５４が取り付けられており、このように、工場で実施可能の各種作業は予め工場で行われている。
【００６７】
しかし、上記搬送時には、第１扉体２１の上側の第１構成部分２１Ａに下側の第２構成部分２１Ｂは連結されておらず、このため、これらの第１構成部分２１Ａと第２構成部分２１Ｂは、分離状態となって引戸装置の設置現場に搬送される。
【００６８】
また、上記搬送時には、第１構成部分２１Ａを形成している枠部材３６の垂下部３６Ｂに連結部材３８が結合されているが、垂下部３６Ｃには連結部材９７は結合されていない（図９を参照）。さらに、第２構成部分２１Ｂを構成する両方の表面パネル８１と８２は、下部フレーム部材４３と側部フレーム部材８３を介して結合されておらず、一方の表面パネル８１に下部フレーム部材４３と側部フレーム部材８３が結合具９１，９３で結合され（図１１及び図１２を参照）、また、この表面パネル８１の上端には、図５で説明した前記連結部材９７が結合具９８で結合されている。この表面パネル８１は、第１扉体２１の第１構成部分２１Ａに形成されている前記開口部３７とは第１扉体２１の厚さ方向反対側の表面パネルである。
【００６９】
引戸装置の設置現場において、竪枠部材１１，１２や竪額縁部材１３等によって前記外枠組みを形成した後、上枠部材１０に図１及び図５で示されている前記点検カバー２３を取り付けセットする前に、第１扉体２１の第１構成部分２１Ａにブラケット３３を介して取り付けられているローラ３２を、上枠部材１０の取付部材２９に取り付けられている第１ガイドレール３０の上に載せる作業、すなわち、ローラ３２を第１ガイドレール３０に係合させることによって第１構成部分２１Ａを第１ガイドレール３０に吊り込む作業を行う。図９は、この吊り込み作業が終了したときを示しており、この吊り込み作業は、ブレーキ装置７０のピニオンギア７２を、上枠部材１０の取付部材２９に結合された保持部材７５に保持されているラック部材７１に噛合させながら行う。
【００７０】
上記吊り込み作業は、第１扉体２１の上下を構成する第１構成部分２１Ａと第２構成部分２１Ｂのうち、第１構成部分２１Ａだけについて行うため、この第１構成部分２１Ａに第２扉体２２のための第２ガイドレール３９が取り付けられていても、第１扉体２１の全体よりも軽量となっている第１構成部分２１Ａを第１ガイドレール３０に容易に吊り込むことができる。
【００７１】
また、この吊り込み作業を行うときには、点検カバー２３は上枠部材１０に取り付けセットされておらず、このため、第１構成部材２１Ａを第１ガイドレール３０に吊り込む側は開放されていて露出した状態となっているため、この点でも吊り込み作業を容易に行える。
【００７２】
次いで、第２構成部分２１Ｂを構成する表面パネル８１，８２のうち、図１１及び図１２で示されているように、下部フレーム部材４３と側部フレーム部材８３が結合具９１，９３で結合されている表面パネル８１を、この表面パネル８１の上端に工場で結合されている図１０の連結部材９７を第１構成部分２１Ａの枠部材３６の垂下部３６Ｃに結合具９６で結合することにより、第１構成部分２１Ａに連結する。この作業は、図１１で示されているように、下部フレーム部材４３の溝３４に前記第１ガイドローラ３５を挿入しながら行う。
【００７３】
この後、第２扉体２２にブラケット４１を介して取り付けられているローラ４０を、第１扉体２１の第１構成部分２１Ａに取り付けられている第２ガイドレール３９の上に載せる作業、すなわち、ローラ４０を第２ガイドレール３９に係合させることによって第２扉体２２を第２ガイドレール３９に吊り込む作業を行う。この作業は、第１扉体２１の第１構成部分２１Ａに形成されている図５の前記開口部３７からローラ４０を、断面箱形となっている第１構成部分２１の内部の空洞部に挿入することによって行うことができる。
【００７４】
また、第２扉体２２を第２ガイドレール３９に吊り込む上記作業は、図６で示されている第２扉体２２の下端部の溝４２に、前記表面パネル８１に取り付けられている下部フレーム部材４３に配置された第２ガイドローラ４４を挿入しながら行う。
【００７５】
この後、第１扉体２１の第２構成部分２１Ｂを構成する前記表面パネル８２の上端部を第１構成部分２１Ａの連結部材３８の下端部に図５の結合具９９で結合する作業と、この表面パネル８２を、前記表面パネル８１に取り付けられている下部フレーム部材４３と側部フレーム部材８３とに図６、図７の結合具９２，９４で結合する作業とを行う。これらの作業を行うことにより、表面パネル８１，８２と下部フレーム部材４３と側部フレーム部材８３とで構成される第１扉体２１の第２構成部分２１Ｂは出来上がることになり、この第２構成部分２１Ｂは、第１構成部分２１Ａの下部に連結されることになる。
【００７６】
そして、上述のように、第１扉体２１の厚さ方向両側に配置される表面パネル８１と８２のうち、先に一方の表面パネル８１を第１構成部分２１Ａに連結し、そして、第２扉体２２を第２ガイドレール３９に吊り込む作業を行った後に、他方の表面パネル８２を第１構成部分２１Ａに連結する作業を行うことにより、前述したように第２扉体２２が第１扉体２１の内部に出入りする入れ子式となっていて、図１で示されているように出入口２を全閉とする位置まで達しているときにおけるこれらの扉体２１，２２が、扉体２１，２２の開閉移動方向に一部同士が重複する大きさの寸法で形成されていても、第２扉体２２を第２ガイドレール３９に吊り込む作業を何ら支障なく行うことができる。
【００７７】
以上の作業を行った後、一部が結合部材５６で上枠部材１０の取付部材２９に結合されている連動機構５０の紐状部材５５を２個の回転部材５２，５４に掛け回しながらこの紐状部材５５の両端部を、第２扉体２２の戸先側のブラケット４１に結合されている連結部材５７に止着具で止着する作業と、自動閉鎖装置６０から導出されている紐状部材６１の端部を、第２扉体２２の戸先側のブラケット４１に結合する作業と、上枠部材１０に点検カバー２３を取り付けセットする作業等を行うことにより、引戸装置は設置現場において組み立てられることになる。
【００７８】
以上説明した本実施形態によると、第１ガイドレール３０で案内されて開閉移動する第１扉体２１は、上側の第１構成部分２１Ａと、この第１構成部分２１Ａに連結される下側の第２構成部分２１Ｂとの組み合わせで構成されているとともに、第１構成部分２１Ａには、第１ガイドレール３０に移動自在に係合する係合部となっているローラ３２がブラケット３３を介して取り付けられ、第１扉体２１をローラ３２によって第１ガイドレール３０に吊り込む作業を行うときには、第１構成部分２１Ａに第２構成部分２１Ｂは連結されておらず、第１構成部分２１Ａだけを第１ガイドレール３０に吊り込めばよいため、第１扉体２１のローラ３２を第１ガイドレール３０に移動自在に係合するための作業を、第１扉体２１の全体を持ち上げることなく、第１構成部分２１Ａだけの持ち上げによって容易に行える。
【００７９】
また、第１構成部分２１Ａは、第２構成部分２１Ｂよりも第１扉体２１の開閉移動方向の寸法が大きく形成されているとともに、第１構成部分２１Ａに２個設けられている上記ローラ３２についての第１扉体２１の開閉移動方向の間隔は、第２構成部分２１Ｂについての第１扉体２１の開閉移動方向の寸法よりも大きくなっているため、第２構成部分２１Ｂが本体部分となっている第１扉体２１の全体は、上記２個のローラ３２によって第１ガイドレール３０に安定して吊り下げられることになり、これより、第１扉体２１の厚さ方向に通る水平軸を中心としてこの扉体２１が揺動することを有効に抑えることができ、この水平軸廻りの第１扉体２１の姿勢を安定させることができる。
【００８０】
さらに、断面箱形となっている第１構成部分２１Ａの内部には、第２扉体２２の開閉移動を案内するための第２ガイドレール３９が取り付けられ、この第１構成部分２１Ａには、第２ガイドレール３９に移動自在に係合する第２扉体２２の係合部となっているローラ４０を第１構成部分２１Ａの内部に挿入可能とする開口部３７が形成されているため、この開口部３７を通してローラ４０を第２ガイドレール３９に係合させる作業を行える。
【００８１】
また、第２扉体２２に２個設けられている上記２個のローラ４０についてのこの扉体２２の開閉移動方向の間隔は、第１扉体２１の２個の上記ローラ３２の間隔より小さく、図２で示されているように、出入口２を全閉とする位置まで２個の扉体２１，２２が達しているときにおいて、言い換えると、第２扉体２２の２個のローラ４０が、第１扉体２１の第１構成部分２１Ａに取り付けられている第２ガイドレール３９のうち、第１扉体２１の第２構成部分２１Ｂから戸先側へ突出している第１構成部分２１Ａの突出箇所に配置されている第２ガイドレール３０の部分に係合しているときにおいて、第２扉体２２の２個のローラ４０は、第１扉体２１の２個のローラ３２の間に存在しているため、第２扉体２２の２個のローラ４０が係合している第２ガイドレール３９が、第１扉体２１の第２構成部分２１Ｂよりも戸先側へ長く形成されている第１構成部分２１Ａに配置されていても、第２ガイドレール３９による第２扉体２２の重量の支持を、第１扉体２１の２個のローラ３２が係合している第１ガイドレール３０により、第２構成部分２１Ｂから突出している第１構成部分２１Ａの突出箇所が下側へ撓み変形することを有効に防止して行える。
【００８２】
さらに、前述したように、第１扉体２１の第２構成部分２１Ｂは、この扉体２１の厚さ方向両側の２個の表面パネル８１，８２を含んで構成され、これらの表面パネル８１，８２は連結可能となっているため、第２扉体２２が第１扉体２１の内部に出入りする入れ子式となっていても、初めに一方の表面パネル８１を第１扉体２１の第１構成部分２１Ａに連結し、この後、第２扉体２２の吊り込み作業を行い、次いで、他方の表面パネル８２を第１構成部分２１Ａに連結する作業を行うことにより、第２扉体２２と扉体２１，２２の開閉移動方向に重複する寸法を有する第１扉体２１の第２構成部分２１Ｂについての組立作業を支障なく行える。
【産業上の利用可能性】
【００８３】
本発明は、ガイドレール等のガイド部材に扉体が吊り下げられた上吊り式の引戸装置を含む各種の引戸装置に利用することができる。
【図面の簡単な説明】
【００８４】
【図１】本発明の一実施形態に係る引戸装置の全体を示す正面図である。
【図２】図１の上枠部材の内部に収納配置されている扉体移動機構を示す全体正面図であって、図１で示されている点検カバーを取り外し、かつ戸袋と壁を除外し、２個の扉体が出入口を全閉とする位置に達しているときを示した図である。
【図３】２個の扉体が出入口を全開とする位置に達しているときを示す図２と同様の図である。
【図４】図２のときの扉体移動機構の要部を拡大して示した正面図である。
【図５】図１の点検カバーを２点鎖線で示した図４のＳ５−Ｓ５線断面図である。
【図６】２個の扉体の下部を示す断面図である。
【図７】第２扉体を除外して示した第１扉体の平断面図である。
【図８】２個の扉体を連動させる連動機構を示す図４のＳ８−Ｓ８線断面図である。
【図９】第１扉体の上側の第１構成部分を第１ガイドレールに吊り下げたときを示す図５と同様の図である。
【図１０】第１扉体の下側の第２構成部分を構成する一方の表面パネルを第１構成部分に連結したときを示す図５と同様の図である。
【図１１】図１０のときの第２構成部分を示す図６と同様の図である。
【図１２】図１０のときの第２構成部分を示す図７と同様の図である。
【符号の説明】
【００８５】
２１  扉体（第１扉体）
２１Ａ  上側の第１構成部分
２１Ｂ  下側の第２構成部分
２２  第２扉体
３０  ガイド部材（第１ガイド部材）であるガイドレール
３２  扉体（第１扉体）の係合部であるローラ
３７  第１構成部分の開口部
３９  第２ガイド部材である第２ガイドレール
４０  第２扉体の係合部であるローラ
５０  連動機構
【図１】
2008133637.tif 000003
【図２】
2008133637.tif 000004
【図３】
2008133637.tif 000005
【図４】
2008133637.tif 000006
【図５】
2008133637.tif 000007
【図６】
2008133637.tif 000008
【図７】
2008133637.tif 000009
【図８】
2008133637.tif 000010
【図９】
2008133637.tif 000011
【図１０】
2008133637.tif 000012
【図１１】
2008133637.tif 000013
【図１２】
2008133637.tif 000014